(57)【要約】【課題】雨水の浸入を十分に防止することができ、しかも換気部材のつぶれを生じさせない笠木換気構造を提供する。【解決手段】笠木換気構造は、下部側に通気口１１ａを有する笠木板１と、上記通気口通気口１１ａの上方に配置される換気部材２と、上記笠木板１の裏面に固定され、上記換気部材２を保持するとともに当該換気部材２を通過した空気から水を返す水返し板３と、上記笠木板１を外壁パネル５に固定する固定ビス４が設けられる箇所の上記笠木板１の裏面側で上記換気部材２を囲うように位置するとともに上記笠木板１と外壁パネル５との間隔を保持するスペーサ６と、を備える。【選択図】図１
2015017424.tif 000002
【特許請求の範囲】
【請求項１】
笠木に換気機能を備える笠木換気構造において、下部側に通気口を有する笠木板と、上記通気口の上方に配置される、空気は通すが水分の通りは抑制する換気部材と、上記笠木板の裏面に固定され、上記換気部材を保持するとともに当該換気部材を通過した空気から水を返す水返し板と、上記笠木板を外壁に固定する固定部材が設けられる箇所の上記笠木板の裏面側で上記換気部材を囲うように位置するとともに上記笠木板と上記外壁との間隔を保持するスペーサと、を備えていることを特徴とする笠木換気構造。
【請求項２】
請求項１に記載の笠木換気構造において、上記換気部材の上記外壁に接する側に止水材が設けられていることを特徴とする換気部材笠木換気構造。
【請求項３】
請求項１または請求項２に記載の笠木換気構造において、上記笠木板は上記通気口を有する笠木本体板と、隣り合う笠木本体板を繋ぐジョイント板とからなり、上記水返し板は上記笠木本体板に設けられており、上記スペーサは上記ジョイント板に設けられていることを特徴とする笠木換気構造。
【発明の詳細な説明】
【技術分野】
【０００１】
この発明は、笠木に換気機能を備える笠木換気構造に関する。
【背景技術】
【０００２】
図６および図７に示すように、従来の小屋裏換気構造には、外壁１０１に貫通孔を形成して換気口フード１０２を設けるとともに、パラペット１０３の頂部において笠木換気構造１０４を設けたものがある。上記笠木換気構造１０４においては、笠木本体１０５の下部と外壁１０１との間に形成された通気口１０５ａから外気が入るようになっている。そして、雨水の浸入を防止するために、換気部材１０６が笠木本体１０５と外壁１０１との間に設けられる。換気部材１０６は、凹凸断面形状を有する合成樹脂シートを複数積層した状態で熱融着によって相互に接続して一体化されたものである。さらに、上記換気部材１０６の上方には、上記換気部材１０６を通過した雨水を返すための水返し板１０７が設けられている。
【０００３】
また、特許文献１には、笠木下部材と、この笠木下部材内に取付けられた換気部材とから構成されている笠木下換気構造が開示されている。
【先行技術文献】
【特許文献】
【０００４】
【特許文献１】特開２０１３−１０８３１４号公報
【発明の概要】
【発明が解決しようとする課題】
【０００５】
上記笠木換気構造１０４および上記換気口フード１０２が設けられる従来構造では、上記通気口１０５ａか小さくて済むが、美観等を考慮して上記換気口フード１０２を省略するとした場合には、上記通気口１０５ａを大きくする必要があり、このように大きくする場合には雨水の浸入を十分に防止することができなくなる。また、上記笠木本体１０５とは別個の部材であり、現場での取付作業が別途必要になるとともに、取り付けが的確でないと、適切に水返しが行えない。また、上記笠木本体１０５と上記換気部材１０６を貫通するように固定ビスが上記外壁１０１にねじ込まれるときに、上記換気部材１０６がつぶれてしまわないように固定ビスの締め付けに注意する必要があり、上記笠木本体１０５の取付作業が迅速に行えないという欠点があった。
【０００６】
この発明は、上記の事情に鑑み、雨水の浸入を適切に防止することができ、しかも換気部材のつぶれを生じさせない笠木換気構造を提供することを課題とする。
【課題を解決するための手段】
【０００７】
この発明の笠木換気構造は、上記の課題を解決するために、笠木に換気機能を備える笠木換気構造において、下部側に通気口を有する笠木板と、上記通気口の上方に配置される、空気は通すが水分の通りは抑制する換気部材と、上記笠木板の裏面に固定され、上記換気部材を保持するとともに当該換気部材を通過した空気から水を返す水返し板と、上記笠木板を外壁に固定する固定部材が設けられる箇所の上記笠木板の裏面側で上記換気部材を囲うように位置するとともに上記笠木板と上記外壁との間隔を保持するスペーサと、を備えていることを特徴とする。
【０００８】
上記の構成であれば、上記換気部材を通過した空気から水を返す水返し板を別途外壁に取り付けるのではなく、当該水返し板は笠木板に固定されていることから雨水の浸入を適切に防止し、上記通気口を大きくしても雨水の浸入を十分に防止することが可能になる。また、上記換気部材を囲うように位置するとともに上記笠木板と上記外壁との間隔を保持するスペーサを備えたので、上記換気部材のつぶれを生じさせることがなくなり、迅速に笠木の取付作業が行えるようになる。
【０００９】
上記換気部材と上記外壁との間に止水材が設けられていてもよい。これによれば、上記換気部材と上記外壁との間からの雨水浸入を防止できる。
【００１０】
上記笠木板は上記通気口を有する笠木本体板と、隣り合う笠木本体板を繋ぐジョイント板とからなり、上記水返し板は上記笠木本体板に設けられており、上記スペーサは上記ジョイント板に設けられていてもよい。これによれば、上記笠木本体板と上記ジョイント板をパラペットに取り付けていくことで的確に現場において笠木換気構造が造られていくことになる。
【発明の効果】
【００１１】
本発明であれば、雨水の浸入を十分に防止することができ、しかも換気部材のつぶれを生じさせないので、迅速な取付作業が可能になるという効果を奏する。
【図面の簡単な説明】
【００１２】
【図１】本発明の実施形態にかかる、無落雪屋根のパラペットに設けられたパラペット笠木換気構造を屋根傾斜が表される断面で示した説明図である。
【図２】図１のパラペット笠木換気構造を構成する笠木板を示した図であって、同図（Ａ）は背面図、同図（Ｂ）はＡ−Ａ矢視断面図、同図（Ｃ）はＢ−Ｂ矢視断面図である。
【図３】図１のパラペット笠木換気構造を構成する水返し板の斜視図である。
【図４】図１のパラペット笠木換気構造を示した図であって、同図（Ａ）は笠木本体板における換気機能部の断面が示された説明図であり、同図（Ｂ）は笠木本体板とジョイント板との重合箇所の断面が示された説明図である。
【図５】本発明の実施形態にかかる、無落雪屋根のパラペットに設けられたパラペット笠木換気構造を屋根傾斜が表れない断面で示した説明図である。
【図６】従来にかかる、無落雪屋根のパラペットに設けられたパラペット笠木換気構造を屋根傾斜が表される断面で示した説明図である。
【図７】従来にかかる、無落雪屋根のパラペットに設けられたパラペット笠木換気構造を屋根傾斜が表れない断面で示した説明図である。
【発明を実施するための形態】
【００１３】
以下、この発明の実施の形態を添付図面に基づいて説明する。
図１に示すように、この実施形態のパラペット笠木換気構造は、下部側に通気口１１ａを有する笠木板１と、上記通気口１１ａの上方に配置される換気部材２と、上記笠木板１の裏面に固定され、上記換気部材２を保持するとともに当該換気部材２を通過した空気から水を返す水返し板３と、上記笠木板１を外壁パネル５に固定する固定ビス（固定部材）４が設けられる箇所の上記笠木板１の裏面側で上記換気部材２を囲うように位置するとともに上記笠木板１と上記外壁パネル５との間隔を保持するスペーサ６と、を備える。
【００１４】
上記笠木板１の表面には横方向に延びる凹部１ａが形成されており、上記凹部１ａの裏面側に上記水返し板３および上記スペーサ６が固定されている。上記スペーサ６は、上記固定ビス４が設けられる箇所で上記水返し板３に替わって設けられているものであるが、図１においては、上記水返し板３の一部と重なって見えることになる。上記凹部１ａの裏面側に上記水返し板３が設けられていると、上記凹部１ａの存在によって上記換気部材２を通過した空気を蛇行状に進めることが容易になり、上記水返し板３による水返しが適切に行われるようになる。
【００１５】
上記通気口１１ａから入った外気は、上記換気部材２内を通り、上記換気部材２と上記笠木板１の裏面との間を進む。上記外壁パネル５の裏面側には空気層を形成する胴縁５ａが間隔を置いて設けられており、上記空気層は外壁パネル５の上端に至っている。上記笠木板１内に入った外気は、上記外壁パネル５の上端の上記胴縁５ａ間から小屋裏に入ることができる。
【００１６】
図２に示すように、上記笠木板１は上記通気口１１ａを有する笠木本体板１１と、隣り合う笠木本体板１１を繋ぐジョイント板１２とからなる。上記笠木本体板１１および上記ジョイント板１２は、例えば塩化ビニール鋼板を折り曲げ加工することにより形成されている。上記笠木本体板１１は、例えば、４５５ｍｍの長さを有している。上記水返し板３は、２９３ｍｍの長さを有しており、上記笠木本体板１１の中央に配置されて左右に８１ｍｍの重ね可能領域を形成する。上記水返し板３は上記笠木本体板１１にリベットまたは溶着によって一体的に設けられており、上記スペーサ６は上記ジョイント板１２にリベットまたは溶着によって一体的に設けられている。
【００１７】
上記ジョイント板１２は、例えば１６０ｍｍの長さを有しており、その全長に渡って上記スペーサ６を備える。そして、このジョイント板１２は、上記８１ｍｍの重ね可能領域を利用して、上記笠木本体板１１に８０ｍｍの幅で重なって設けられる。
【００１８】
また、上記通気口１１ａは、例えば長さが１３９ｍｍで幅が１５．５ｍｍ程度の大きさを有しており、１個の笠木本体板１１に２箇所形成されている。
【００１９】
上記水返し板３は、図３にも示しているように、縦面となる固定面部３ｃを有しており、この固定面部３ｃの上部で直角に折れ曲げられた水平面部に通気口３ａを２箇所有している。上記通気口３ａの大きさは上記通気口１１ａの大きさと同程度とされる。上記通気口１１ａの下側に上記換気部材２が装着されている。また、上記水返し板３には、上記通気口３ａの上方において当該通気口３ａに対向するように水返し片３ｂが形成されている。上記水返し片３ｂの先端部と上記笠木本体板１１との間が外気の通路となる。
【００２０】
上記換気部材２は、空気は通すが水分の通りは抑制する部材であり、例えば凹凸断面形状を有する合成樹脂シートを複数積層した状態で熱融着によって相互に接続されたもの（例えば商品名イーヴスベンツ）を用いることができる。上記換気部材２は、上記凹凸断面形状の積層で形成される通気孔が上記通気口３ａの方を向くようにセットされる。
【００２１】
図４（Ａ）に示すように、上記笠木本体板１１の側においては、その通気口１１ａから入った外気は、上記換気部材２の下側から上記通気孔を通って上記水返し板３の通気口３ａから出てくる。そして、上記水返し片３ｂによって雨水は返されることになる。
【００２２】
また、図４（Ｂ）に示すように、上記笠木本体板１１と上記ジョイント板１２との重合箇所においては、上記ジョイント板１２の表側を覆うように上記笠木本体板１１が設けられる。そして、この重合箇所において、上記水返し板３に替わって上記スペーサ６が上記換気部材２を囲うように位置する。上記スペーサ６は、いわゆるハット型形状を有しており、頂部面を上記凹部１ａの裏面に当接させて設けられる。上記凹部１ａからねじ込まれる上記固定ビス４は、上記頂部面に形成されている挿通孔を通り、上記換気部材２を貫通し、この換気部材２の裏面に位置する外壁パネル５にねじ込まれる。上記スペーサ６は、そのハット型形状における下部平面部を上記外壁パネル５に当てており、上記固定ビス４による押圧を受け止めることができる。
【００２３】
上記換気部材２の外壁パネル５に接触する面に止水材（商品名エプトシーラ等）が設けられる。また、上記ジョイント板１２の表面や上記笠木板１における外壁接触部などにも上記止水材が設けられる。
【００２４】
図５は無落雪屋根のパラペットに設けられたパラペット笠木換気構造を屋根傾斜が表れない断面で示した説明図であり、図１と同様に、上記笠木板１、上記換気部材２、上記水返し板３、上記スペーサ６、等が備えられている。
【００２５】
上記の構成であれば、上記換気部材２を通過した空気から水を返す水返し板３を別途外壁に取り付けるのではなく、当該水返し板３は笠木板１に固定されていることから雨水の浸入を適切に防止し、上記通気口１１ａを大きくしても雨水の浸入を十分に防止することが可能になる。また、上記換気部材２を囲うように位置するとともに上記笠木板１と上記外壁パネル５との間隔を保持する上記スペーサ６を備えたので、上記換気部材２のつぶれを生じさせることがなくなり、迅速に笠木の取付作業が行えるようになる。
【００２６】
また、上記換気部材２と上記外壁パネル５との間に止水材７が設けられていると、上記換気部材２と上記外壁パネル５との間からの雨水浸入を防止できる。
【００２７】
上記水返し板３や上記スペーサ６が上記笠木本体板１１や上記ジョイント板１２に一体的に設けられていると、上記笠木本体板１１と上記ジョイント板１２をパラペットに取り付けていくことで的確に現場において笠木換気構造が造られていくことになる。
【００２８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００２９】
１      笠木板
１ａ    凹部
１１    笠木本体板
１１ａ  通気口
１２    ジョイント板
２      換気部材
３      水返し板
４      固定ビス（固定部材）
５      外壁パネル
６      スペーサ
【図１】
2015017424.tif 000003
【図２】
2015017424.tif 000004
【図３】
2015017424.tif 000005
【図４】
2015017424.tif 000006
【図５】
2015017424.tif 000007
【図６】
2015017424.tif 000008
【図７】
2015017424.tif 000009